(57)【特許請求の範囲】
【請求項１】
塩または高濃度の塩水と水が供給される貯溜槽と、同貯溜槽内の塩水を流出して還流させる循環管路と、前記貯溜槽内の所定の希薄濃度の塩水を流出して所定の場所へ供給する供給管路を備えた塩水製造装置において、前記循環管路は、前記貯溜槽内に開口して外部に延びる吸入パイプと、同吸入パイプに循環ポンプを介して連結されて前記貯溜槽を貫通してその内部に延びる吐出パイプを備え、同吐出パイプは、前記貯溜槽の底部を貫通して同貯溜槽内にて起立状態で延びる起立部と、前記貯溜槽内にて前記起立部の先端から槽内周面の近傍に延びる水平部と、前記貯溜槽内にて前記水平部の先端から下降傾斜して延びる傾斜部とにより形成されていて、前記循環管路の還流口が前記貯溜槽内にて斜め下方へ指向されていることを特徴とする塩水製造装置。
【請求項２】
塩または高濃度の塩水と水が供給される貯溜槽と、同貯溜槽内の塩水を流出して還流させる循環管路と、前記貯溜槽内の所定の希薄濃度の塩水を流出して所定の場所へ供給する供給管路を備えた塩水製造装置において、前記循環管路は、前記貯溜槽内に開口して外部に延びる吸入パイプと、同吸入パイプに循環ポンプを介して連結されて前記貯溜槽を貫通してその内部に延びる吐出パイプを備え、同吐出パイプの先端は前記塩または高濃度の塩水の供給パイプの先端に、前記貯溜槽内にて接続パイプを介して接続されていて、前記供給パイプの供給口が前記循環管路の前記吐出パイプの内部に臨み、または同吐出パイプの還流口に近接して位置していることを特徴する塩水製造装置。
【請求項３】
請求項１または２に記載の塩水製造装置において、前記貯溜槽内に、同貯溜槽内の塩水の水位を検出する水位センサに対する塩水の流れを規制する規制部材を設けたことを特徴とする塩水製造装置。
【請求項４】
請求項３に記載の塩水製造装置において、前記規制部材を前記水位センサに一体的に設けて、同規制部材を前記貯溜槽内にて塩水の水位より高い部位に取付けたことを特徴とする塩水製造装置。
【発明の詳細な説明】
【０００１】
【産業上の利用分野】
本発明は、被電解水である所定の希薄濃度の塩水、生鮮食材の処理水として使用する所定の希薄濃度の塩水等を製造するための塩水製造装置に関する。
【０００２】
【従来の技術】
一般に、塩水製造装置は特開平４−７５５７６号公報に示されているように、飽和濃度である高濃度の塩水を製造するための高濃度の塩水製造装置と、飽和濃度より希釈された低濃度の希薄塩水を製造するための希薄濃度の塩水製造装置とがある。
【０００３】
前者の塩水製造装置においては、内部を２つの区画部に分割された貯溜槽を備え、一方の区画部には固体の塩が貯溜されていて、同区画部に給水することにより固体塩を溶解して飽和濃度の塩水として他方の区画部に流出させて貯溜し、この貯溜された高濃度の塩水を必要により供給する構成となっている。また、後者の塩水製造装置においては、固体の塩または高濃度の塩水と水とが供給される貯溜槽と、同貯溜槽内の塩水を流出して還流させる循環管路と、前記貯溜槽内の所定の希薄濃度の塩水を流出して所定の場所へ供給する供給管路を備え、貯溜槽内に供給される固体の塩または高濃度の塩水、水、および塩水を循環管路を介して循環しつつ均一に混合して、所定の希薄濃度に調製された塩水を供給管路を介して所定の場所へ供給する構成となっている。
【０００４】
ところで、これらの各塩水製造装置においては、所定の濃度の塩水を迅速に調製できることが望ましく、これを達成するには各貯溜槽内で塩水を十分に撹拌して迅速に均一な濃度にすることが肝要であり、撹拌手段としは一般にプロペラ型の撹拌機が使用される。
【０００５】
【発明が解決しようとする課題】
しかしながら、上記した前者の塩水製造装置のごとく内部が複数に分割されたタイプの貯溜槽を使用する塩水製造装置においては、撹拌機を配設するのに制約があって撹拌機を好適な位置に配設し得ない場合がある。貯溜槽に撹拌機を配設し得る場合においても、貯溜槽内に撹拌機の撹拌部位を支持するための支持部を設置しなければならないとともに、貯溜槽の上方中央部に撹拌機を駆動するための駆動モータを設置しなければならない等、貯溜槽の構造が複雑になるとともに装置が高価になり、さらには貯溜槽が大きい場合には、強力な撹拌力を有する大型の撹拌機を採用しなければならない。また、貯溜槽に撹拌機を配設する場合には、他の構成部品、例えば水位センサ、濃度センサの配設部位が制約される問題がある。
【０００６】
従って、本発明の目的は、貯溜槽に撹拌機を配設することなく、貯溜槽内の塩水を迅速に希薄調製することができるようにすることにある。
【０００７】
【課題を解決するための手段】
本発明の第１の発明は、塩または高濃度の塩水と水が供給される貯溜槽と、同貯溜槽内の塩水を流出して還流させる循環管路と、前記貯溜槽内の所定の希薄濃度の塩水を流出して所定の場所へ供給する供給管路を備えた塩水製造装置において、前記循環管路は、前記貯溜槽内に開口して外部に延びる吸入パイプと、同吸入パイプに循環ポンプを介して連結されて前記貯溜槽を貫通してその内部に延びる吐出パイプを備え、同吐出パイプは、前記貯溜槽の底部を貫通して同貯溜槽内にて起立状態で延びる起立部と、前記貯溜槽内にて前記起立部の先端から槽内周面の近傍に延びる水平部と、前記貯溜槽内にて前記水平部の先端から下降傾斜して延びる傾斜部とにより形成されていて、前記循環管路の還流口が前記貯溜槽内にて斜め下方へ指向されていることを特徴とするものである。
【０００８】
また、本発明の第２の発明は、塩または高濃度の塩水と水が供給される貯溜槽と、同貯溜槽内の塩水を流出して還流させる循環管路と、前記貯溜槽内の所定の希薄濃度の塩水を流出して所定の場所へ供給する供給管路を備えた塩水製造装置において、前記循環管路は、前記貯溜槽内に開口して外部に延びる吸入パイプと、同吸入パイプに循環ポンプを介して連結されて前記貯溜槽を貫通してその内部に延びる吐出パイプを備え、同吐出パイプの先端は前記塩または高濃度の塩水の供給パイプの先端に、前記貯溜槽内にて接続パイプを介して接続されていて、前記供給パイプの供給口が前記循環管路の前記吐出パイプの内部に臨み、または同吐出パイプの還流口に近接して位置していることを特徴するものである。
【０００９】
本発明に係る塩水製造装置においては、前記貯溜槽内に、同貯溜槽内の塩水の水位を検出する水位センサに対する塩水の流れを規制する規制部材を設けること、前記規制部材を前記水位センサに一体的に設けて、同規制部材を前記貯溜槽内にて塩水の水位より高い部位に取付けること、等の構成を採用することができる。
【００１０】
【発明の作用・効果】
本発明の第１の発明に係る塩水製造装置においては、循環管路の還流口を前記貯溜槽内にて斜め下方へ指向させているため、貯溜槽内に還流する塩水は斜め下方へ吐出されることになり、貯溜槽内の塩水はこの吐出流により水平方向および垂直方向の両方向の水流を形成されて貯溜槽内全体に乱流が発生する。このため、貯溜槽内の塩水は還流する塩水の吐出流により迅速に均一混合される。
【００１１】
また、本発明の第２の発明に係る塩水製造装置においては、塩または高濃度の塩水の供給口を循環管路の内部に臨ませ、または同循環管路の還流口に近接して位置させているため、貯溜槽内に供給される塩、または高濃度の塩水を還流する塩水の吐出流に乗せて貯溜槽内の塩水に瞬時に拡散させることができる。このため、貯溜槽内の塩水は還流する塩水の吐出流により迅速に均一混合される。
【００１２】
なお、これら各塩水製造装置において、貯溜槽内に、同貯溜槽内の塩水の水位を検出する水位センサに対する塩水の流れを規制する規制部材を設ければ、水位センサの塩水の流れによるばたつき等の大きな振動が規制部材により解消されるとともに、貯溜槽内の塩水の流れが規制部材により四方へ分散されて、塩水の迅速な均一混合を一層促進させることができる。また、かかる規制部材を水位センサに一体的に設けて、同規制部材を貯溜槽内にて塩水の水位より高い部位に取付けるようにすれば、水位センサの取付け部位からの塩水の漏洩を防止することができるとともに、貯溜槽内の塩水を抜き取ることなく水位センサを交換することができる。
【００１３】
【実施例】
以下本発明の実施例を図面に基づいて説明するに、図１には本発明の第１実施例に係る塩水製造装置１０が示されている。当該塩水製造装置１０は電解水生成装置に供給する希薄食塩水を製造する装置であり、塩水の貯溜槽１１、水を供給する水供給管路１２、高濃度食塩水を供給する第１塩水供給管路１３、貯溜槽１１内の塩水を循環させる循環管路１４、および所定濃度の希薄食塩水を電解槽へ供給する第２塩水供給管路１５を備えているとともに、貯溜槽１１内の塩水の水位を検出する一対の水位センサ１６ａ，１６ｂ、および両水位センサ１６，１６ｂに対する塩水の流れ規制する規制部材１７を備えている。
【００１４】
貯溜槽１１は密閉された円筒状のもので、天板１１ａには、水供給管路１２を構成する給水パイプ１２ａの一端と、第１塩水供給管路１３を構成する塩水供給パイプ１３ａの一端とが貫通した状態で固着されていて、各パイプ１２ａ，１３ａは貯溜槽１１内の上方にて開口している。給水パイプ１２ａの途中には給水ポンプ１２ｂが介装されており、また塩水供給パイプ１３ａの途中には給塩水ポンプ１３ｂが介装されている。
【００１５】
一方、貯溜槽１１の底板１１ｂには、循環管路１４を構成する吸入パイプ１４ａと吐出パイプ１４ｂが固着されているとともに、第２塩水供給管路１５を構成する塩水供給パイプ１５ａが固着されている。吸入パイプ１４ａはその一端にて底板１１ｂに固着されていて貯溜槽１１内の下方にて開口し、かつ吐出パイプ１４ｂは底板１１ｂに貫通した状態で固着されて貯溜槽１１内の上下方向の中間の部位にて開口している。また、塩水供給パイプ１５ａはその一端にて底板１１ｂに固着されていて、貯溜槽１１内の下方にて開口している。循環管路１４の吸入パイプ１４ａと吐出パイプ１４ｂ間には循環ポンプ１４ｃが介装され、かつ塩水供給パイプ１５ａの途中には給塩水ポンプ１５ｂが介装されている。
【００１６】
しかして、循環管路１４を構成する吐出パイプ１４ｂは図１および図２に示すように、起立部１４ｂ1、水平部１４ｂ2、傾斜部１４ｂ3とからなるもので、起立部１４ｂ1は貯溜槽１１における上下方向の中間の部位まで延びており、その上端部から水平部１４ｂ2が貯溜槽１１の周壁に向かって延び、かつその先端部から傾斜部１４ｂ3が下降傾斜して延びている。吐出パイプ１４ｂの傾斜部１４ｂ3は本実施例においては、水平方向に対する下降傾斜角度θが略３０度に設定されている。
【００１７】
一方、各水位センサ１６ａ，１６ｂは規制部材１７に一体的に配設されている。規制部材１７は図３に示すように所定幅で断面逆Ｌ字状を呈するもので、所定幅の上板部１７ａおよび第１垂直板部１７ｂ、これら両板部１７ａ，１７ｂに直交状に位置する所定幅の第２垂直板部１７ｃ、これら両垂直板部１７ｂ，１７ｃに対して直交状でかつ上板部１７ａに対して並列して位置する水平板部１７ｄとにより構成されている。各水位センサ１６ａ，１６ｂはこれらに接続されたリード線を保護する保護パイプ１６ｃの各先端部に組付けられており、保護パイプ１６ｃは水平板部１７ｄを貫通した状態で、その上端部にて上板部１７ａの下面に固定されている。規制部材１７はこの状態で貯溜槽１１の天板１１ａの下面における周縁部の近くに配設されていて、第１垂直板部１７ｂおよび第２垂直板部１７ｃにて、貯溜槽１１内に発生する塩水の水流に対して各水位センサ１６ａ，１６ｂを遮蔽している。
【００１８】
このように構成した塩水製造装置１０においては、給水ポンプ１２ｂおよび給塩水ポンプ１３ｂを駆動させることにより、貯溜槽１１内へ水供給管路１２から水が供給されるとともに第１塩水供給管路１３から高濃度の食塩水が供給され、一方循環ポンプ１４ｃを駆動させることにより、貯溜槽１１内に希薄食塩水を循環管路１４を通して循環させて混合して均一化を図る。この間、各水位センサ１６ａ，１６ｂは貯溜槽１１内の水位を検出するとともに、図示しない濃度センサが希薄食塩水の濃度を検出して、図示しない制御装置により、貯溜槽１１内の希薄食塩水の水位が所定の高さに保持されるとともに、希薄食塩水の濃度が所定の希薄濃度に保持される。この状態で、給塩水ポンプ１５ｂを駆動させることにより、貯溜槽１１内で生成された所定の希薄濃度の食塩水が図示しない電解槽へ供給される。
【００１９】
ところで、当該塩水製造装置１０においては、循環管路１４を構成する吐出パイプ１４ｂの傾斜部１４ｂ3を下降傾斜させて、その還流口を貯溜槽１１内にて斜め下方へ指向させている。このため、貯溜槽１１内に還流する希薄食塩水は還流口の指向方向である斜め下方へ吐出されることになり、貯溜槽１１内の希薄食塩水はこの吐出流により水平方向および垂直方向の両方向の水流を形成されて、貯溜槽１１内全体に乱流を発生させる。このため、貯溜槽１１内の希薄食塩水は循環する希薄食塩水の吐出流により迅速に均一混合される。
【００２０】
この間、貯溜槽１１内に配設された規制部材１７は各水位センサ１６ａ，１６ｂを希薄食塩水の水流から遮蔽して、各水位センサ１６ａ，１６ｂのばたつき等の振動を防止するとともに水位の的確な検出を補償し、かつ貯溜槽１１内の希薄食塩水の水流を両垂直板部１７ｂ，１７ｃに衝突させて四方へ飛散させる。このため、希薄食塩水の迅速な均一混合が一層促進される。また、かかる規制部材１７は各水位センサ１６ａ，１６ｂを一体的に備えていて、貯溜槽１１の天板１１ａの下面に固定されて、貯溜槽１１内にて希薄食塩水の設定水位より高い部位に位置している。このため、各水位センサ１６ａ，１６ｂを貯溜槽１１の周壁に配設する必要がなく、周壁に配設した場合のごとき各水位センサ１６ａ，１６ｂの配設部位からの希薄食塩水の漏洩を解消することができるとともに、貯溜槽１１内の希薄食塩水を抜き取ることなく各水位センサ１６ａ，１６ｂを交換することができる。
【００２１】
図４には、本発明の第２実施例に係る塩水製造装置２０が示されている。当該塩水製造装置２０は、第１実施例に係る塩水製造装置１０と同様に電解水生成装置に供給する希薄食塩水を製造する装置であり、塩水の貯溜槽２１、水を供給する水供給管路２２、高濃度食塩水を供給する第１塩水供給管路２３、貯溜槽２１内の希薄食塩水を循環させる循環管路２４、および所定の希薄濃度の食塩水を図示しない電解槽へ供給する第２塩水供給管路２５を備えているとともに、貯溜槽２１内の塩水の水位を検出する一対の水位センサ２６ａ，２６ｂを一体的に有する規制部材２７を備えている。
【００２２】
当該塩水製造装置２０は、水圧を利用して水および高濃度食塩水を貯溜槽２１内に供給する形式のもので、水供給管路２２には給水パイプ２２ａの途中に開閉バルブ２２ｂが介装され、また第１塩水供給管路２３には塩水供給パイプ２３ａの途中に開閉バルブ２３ｂが介装されており、これら各開閉バルブ２２ｂ，２３ｂの開閉制御により貯溜槽２１内への水、および高濃度食塩水の供給が制御される。
【００２３】
一方、当該塩水製造装置２０における第２塩水供給管路２５、および規制部材２７は第１実施例の塩水製造装置１０のものと同様のもので、第２塩水供給管路２５は塩水供給パイプ２５ａの途中に供給ポンプ２５ｂを介装されていて、供給ポンプ２５ｂの駆動により貯溜槽２１内の希薄食塩水を図示しない電解槽へ供給する。また、規制部材２７は塩水製造装置１０の規制部材１７と同様に配設されて、同様に機能する。
【００２４】
しかして、当該塩水製造装置２０において、循環管路２４は吸入パイプ２４ａｂ、吐出パイプ２４ｂ、および循環ポンプ２４ｃからなるもので、吐出パイプ２４ｂの上端部は第１塩水供給管路２３の塩水供給パイプ２３ａの下端部に、接続パイプ２８を介して接続されている。接続パイプ２８は図５（ａ）に示すように、第１接続管部２８ａと第２接続管部２８ｂとを一体的に備えたもので、両接続管部２８ａ，２８ｂは上下に固定された状態で互いに水平方向に並列して延びており、それらの先端部が水平方向に開口している。かかる接続パイプ２８においては、第１接続管部２８ａの基端部に塩水供給パイプ２３ａの下端部が接続され、かつ第２接続管部２８ｂの基端部に吐出パイプ２４ｂの上端部が接続されている。
【００２５】
図５（ｂ），（ｃ）には接続パイプの変形例が示されており、同図（ｂ）に示す第１変形例に係る接続パイプ２８Ａにおいては、第１接続管部２８ｃが第２接続管部２８ｄの水平部に交差状に接続されていて、第１接続管部２８ｃの先端部は第２接続管部２８ｄ内に開口して、その下流側へ傾斜して開口している。また、同図（ｃ）に示す第２変形例に係る接続パイプ２８Ｂにおいては、第１接続管部２８ｅが第２接続管部２８ｆの水平部に直交状に接続されていて、第１接続管部２８ｅの先端部は第２接続管部２８ｆ内に臨んで、その下流側へ開口している。
【００２６】
このように構成した塩水製造装置２０においては、高濃度食塩水を供給する塩水供給パイプ２３ａと循環管路２４における吐出パイプ２４ｂを接続パイプ２８にて互いに接続しているため、貯溜槽２１内に供給される高濃度食塩水を還流する希薄食塩水の吐出流に乗せて貯溜槽２１内の希薄食塩水に瞬時に拡散させることができる。このため、貯溜槽２１内の希薄食塩水は還流する希薄食塩水の吐出流により迅速に均一混合される。また、塩水供給パイプ２３ａと吐出パイプ２４ｂを他の接続パイプ２８Ａ，２８Ｂにて接続した場合も同様であるが、これらの接続パイプ２８Ａ，２８Ｂを使用した場合には、高濃度食塩水を吐出パイプ２４ｂ内にて還流する希薄食塩水に添加した状態で貯溜槽２１内に吐出することができるため、高濃度食塩水の貯溜槽２１内の希薄食塩水への均一混合をより一層迅速に行うことができる。
【００２７】
なお、当該塩水製造装置２０において、規制部材２７は第１実施例に係る塩水製造装置１０の規制部材１７と同様の作用効果を奏するものである。
【図面の簡単な説明】
【図１】本発明の第１実施例に係る塩水製造装置の一部切欠斜視図である。
【図２】同塩水製造装置の天板の一部を切欠いた状態の平面図である。
【図３】同塩水製造装置に使用される水位センサおよび規制部材の拡大側面図である。
【図４】本発明の第２実施例に係る塩水製造装置の一部切欠斜視図である。
【図５】同塩水製造装置で使用する接続パイプの縦断面図（ａ）、同第１変形例に係る接続パイプの縦断面図（ｂ）、および同第２変形例に係る接続パイプの縦断面図（ｃ）である。
【符号の説明】
１０，２０…塩水製造装置、１１，２１…貯溜槽、１２，２２…水供給管路、１３，２３…第１塩水供給管路、１３ａ，２３ａ…塩水供給パイプ、１４，２４…循環管路、１４ｂ，２４ｂ…吐出パイプ、１５，２５…第２供給管路、１６ａ，１６ｂ，２６ａ，２６ｂ…水位センサ、１７，２７…規制部材、２８，２８Ａ，２８Ｂ…接続パイプ、２８ａ，２８ｃ，２８ｅ…第１接続管部、２８ｂ，２８ｄ，８ｆ…第２接続管路。
【図１】
0003662630.tif 000002
【図２】
0003662630.tif 000003
【図３】
0003662630.tif 000004
【図４】
0003662630.tif 000005
【図５】
0003662630.tif 000006